(57)【要約】【課題】テレビジョン受像機およびコンピュータ端末等の画像表示に用いられるプラズマディスプレイ装置において、駆動回路の構成の簡略化を図ることを目的とする。【解決手段】走査電極、維持電極および書き込み電極を有するプラズマディスプレイパネルと、このプラズマディスプレイパネルの前記走査電極および維持電極に駆動電圧を供給する駆動回路とを有し、前記駆動回路は、倍電圧回路２８およびプラズマディスプレイパネルの電極への駆動電圧の供給を制御するトランジスタ２１、２２、２３、２４とで構成し、かつ前記トランジスタ２１、２２と前記倍電圧回路２８を構成するスイッチング素子とを兼用する構成とした。【選択図】図１
2005070598.tif 000002
【特許請求の範囲】
【請求項１】
走査電極、維持電極および書き込み電極を有するプラズマディスプレイパネルと、このプラズマディスプレイパネルの前記走査電極および維持電極に駆動電圧を供給する駆動回路とを有し、前記駆動回路は、倍電圧回路およびプラズマディスプレイパネルの電極への駆動電圧の供給を制御するスイッチング素子とで構成し、かつ前記スイッチング素子と前記倍電圧回路を構成するスイッチング素子とを兼用したことを特徴とするプラズマディスプレイ装置。
【請求項２】
駆動回路は、プラズマディスプレイパネルの電極に駆動電圧Ｖｓを印加する第１のトランジスタと、この第１のトランジスタのソース端子にドレイン端子が接続されかつプラズマディスプレイパネルの電極に駆動電圧Ｖｔを印加する第２のトランジスタと、前記第１のトランジスタのドレイン端子にアノード端子を接続した第１のダイオードと、前記第１のダイオードのカソード端子にアノード端子を接続した第２のダイオードと、前記第１のトランジスタのソース端子と第１のダイオードのカソード端子間に接続した第１のコンデンサと、前記第２のダイオードのカソード端子に接続した第２のコンデンサとを備えたことを特徴とする請求項１に記載のプラズマディスプレイ装置。
【発明の詳細な説明】
【技術分野】
【０００１】
本発明は、テレビジョン受像機およびコンピュータ端末等の画像表示に用いられるプラズマディスプレイ装置に関するものである。
【背景技術】
【０００２】
一般にプラズマディスプレイパネルを表示デバイスに用いるプラズマディスプレイ装置は、図２に示すように構成されている。すなわち、プラズマディスプレイパネル１は、２枚のガラス板を重ね合わせて放電空間を形成するとともに、複数の走査電極群、維持電極群および書き込み電極群を形成することにより複数の放電セルを設けた構造である。そして、プラズマディスプレイパネル１の書き込み電極群には書き込み回路２が接続されるとともに、走査電極群には走査回路３が接続されており、書き込み回路２および走査回路３からの選択パルスで放電を行う放電セルに書き込み動作を行う。また、プラズマディスプレイパネル１の走査電極群には走査回路３を介して維持回路４が接続され、維持電極群には維持回路５が接続されており、維持回路４および維持回路５から交互に出力される維持パルスで、書き込みが行われた放電セルで維持放電動作を行うことにより表示駆動される。この維持回路４、５には、維持放電電流を流すためのスイッチ素子、維持パルスのスイッチング電流を流すスイッチ素子およびコンデンサ、インダクタンスにより構成され、また前記スイッチ素子には、ＭＯＳＦＥＴなどの半導体素子が用いられる。
【０００３】
このプラズマディスプレイ装置では、特許文献１に示されるように、パネル内には走査電極、維持電極およびデータ電極が配置され、走査電極には複数種類の駆動電圧が印加されている。ここで、パネル電極に複数種類の駆動電圧からなる駆動波形を印加する駆動回路を図３、図４を用いて説明する。
【０００４】
図３は、駆動電圧Ｖｓ、Ｖｉおよび０Ｖからなる駆動波形をパネルの電極に印加する駆動回路の一例を示している。図４は図３で示す駆動回路によりパネル電極に印加される駆動波形の一例を示している。図３において、１１、１２、１３、１４はＭＯＳＦＥＴからなるトランジスタ、１５は駆動電圧Ｖｓを発生する電源、１６はダイオード、１７はコンデンサ、１８は駆動電圧Ｖｉを発生する電源である。
【０００５】
図４において、パネルの電極に印加される駆動波形は期間ｔ1〜ｔ9からなる９つの期間からなり、期間ｔ1、ｔ5、ｔ7、およびｔ9においては、トランジスタ１２とトランジスタ１４が導通することにより電極に駆動電圧０Ｖを印加することができる。また、このとき、コンデンサ１７にはダイオード１６を通して駆動電圧Ｖｉが充電される。そして、期間ｔ2、ｔ4、ｔ6、およびｔ8においては、トランジスタ１１とトランジスタ１４が導通することによりパネルの電極に駆動電圧Ｖｓを印加することができる。さらに期間ｔ3ではトランジスタ１１とトランジスタ１３が導通することによりパネルの電極に駆動電圧Ｖｓ＋Ｖｉを印加することができる。
【特許文献１】特開２０００−２４２２２４号公報
【発明の開示】
【発明が解決しようとする課題】
【０００６】
しかし、このようなプラズマディスプレイ装置の駆動回路においては複数の駆動電圧を電源回路ブロックにおいて個別に出力し、駆動回路ブロックに供給する必要があり、パネル電極に印加する駆動波形が複雑になればなるほど、電源回路ブロックの部品点数の増加、コストアップにつながるという課題があった。
【０００７】
本発明はこのような課題に鑑みなされたもので、駆動回路の構成の簡略化を図ることを目的とする。
【課題を解決するための手段】
【０００８】
本発明のプラズマディスプレイ装置は、駆動回路は、倍電圧回路およびプラズマディスプレイパネルの電極への駆動電圧の供給を制御するスイッチング素子とで構成し、かつ前記スイッチング素子と前記倍電圧回路を構成するスイッチング素子とを兼用したものである。
【発明の効果】
【０００９】
以上の本発明にかかるプラズマディスプレイ装置によれば、電源回路ブロックから駆動回路に供給される駆動電圧の種類を減らすことができ、電源回路ブロックの部品点数の削減、コストダウンという効果が得られる。
【発明を実施するための最良の形態】
【００１０】
すなわち、本発明においては、走査電極、維持電極および書き込み電極を有するプラズマディスプレイパネルと、このプラズマディスプレイパネルの前記走査電極および維持電極に駆動電圧を供給する駆動回路とを有し、前記駆動回路は、倍電圧回路およびプラズマディスプレイパネルの電極への駆動電圧の供給を制御するスイッチング素子とで構成し、かつ前記スイッチング素子と前記倍電圧回路を構成するスイッチング素子とを兼用したことを特徴とする。
【００１１】
また、前記駆動回路は、プラズマディスプレイパネルの電極に駆動電圧Ｖｓを印加する第１のトランジスタと、この第１のトランジスタのソース端子にドレイン端子が接続されかつプラズマディスプレイパネルの電極に駆動電圧Ｖｔを印加する第２のトランジスタと、前記第１のトランジスタのドレイン端子にアノード端子を接続した第１のダイオードと、前記第１のダイオードのカソード端子にアノード端子を接続した第２のダイオードと、前記第１のトランジスタのソース端子と第１のダイオードのカソード端子間に接続した第１のコンデンサと、前記第２のダイオードのカソード端子に接続した第２のコンデンサとを備えたことを特徴とする。
【００１２】
以下、本発明の一実施の形態によるプラズマディスプレイ装置について、図１の図面を参照しながら説明する。
【００１３】
図１に本発明の一実施の形態によるプラズマディスプレイ装置の駆動回路を示しており、図において、２１、２２、２３、２４はＭＯＳＦＥＴからなるトランジスタ、２５はパネルの駆動電圧Ｖｓを発生する電源であり、第１のトランジスタであるトランジスタ２１は駆動電圧Ｖｓをパネルの電極に印加し、第２のトランジスタであるトランジスタ２２は駆動電圧０Ｖをパネルの電極に印加するもので、トランジスタ２１のソース端子にトランジスタ２２のドレイン端子が接続されている。
【００１４】
トランジスタ２１のドレイン端子には駆動電圧Ｖｓをポンプアップする第１のダイオードであるダイオード２９のアノード端子が接続され、前記ダイオード２９のカソード端子とトランジスタ２１のソース端子間に駆動電圧Ｖｓをポンプアップする第１のコンデンサ３０が接続されている。また、ダイオード２９のカソード端子には、倍電圧整流用の第２のダイオードであるダイオード３１のアノード端子が接続され、前記ダイオード３１のカソード端子には倍電圧整流用の第２のコンデンサであるコンデンサ３２が接続され、トランジスタ２１、トランジスタ２２、ダイオード２９、コンデンサ３０、ダイオード３１、およびコンデンサ３２により駆動電圧Ｖｓの倍電圧回路２８が構成されている。
【００１５】
前記倍電圧回路２８からレギュレータ３３を通して、駆動電圧Ｖｉを生成し、Ｖｉ電圧をポンプアップするダイオード２６を通して、Ｖｉ電圧をポンプアップするコンデンサ２７に充電する。
【００１６】
また、トランジスタ２３は、駆動電圧Ｖｉをパネルの電極に印加するトランジスタであり、トランジスタ２４は、前記駆動電圧Ｖｉを遮断するトランジスタである。
【００１７】
このようにプラズマディスプレイ装置の駆動回路において、パネルの電極に駆動電圧Ｖｓおよび０Ｖを印加するためのトランジスタ２１、２２が、その他の駆動電圧Ｖｉを生成するための倍電圧回路２８のスイッチングトランジスタを兼用している。
【００１８】
以上の説明から明らかなように、本発明にかかるプラズマディスプレイ装置によれば、駆動回路を構成するスイッチング素子が倍電圧回路を構成するスイッチング素子と兼用していることから、電源回路ブロックから駆動回路に供給される駆動電圧の種類を減らすことができ、電源回路ブロックの部品点数の削減、コストダウンという効果が得られる。
【産業上の利用可能性】
【００１９】
本発明によれば、駆動回路の電源回路ブロックの部品点数の削減、コストダウンが図れ、プラズマディスプレイ装置のコスト削減に有用である。
【図面の簡単な説明】
【００２０】
【図１】本発明の一実施の形態によるプラズマディスプレイ装置の駆動回路を示す回路図
【図２】従来のプラズマディスプレイ装置を示す構成図
【図３】同装置の駆動回路を示す回路図
【図４】図３に示す回路の駆動波形図
【符号の説明】
【００２１】
１  プラズマディスプレイパネル
２１、２２、２３、２４  トランジスタ
２６、２９、３１  ダイオード
２７、３０、３２  コンデンサ
２８  倍電圧回路
【図１】
2005070598.tif 000003
【図２】
2005070598.tif 000004
【図３】
2005070598.tif 000005
【図４】
2005070598.tif 000006